(57)【要約】      （修正有）【課題】各管理対象物の確認をより簡便に行うＩＣタグによる管理システム、管理方法、管理プログラムを得る。【解決手段】各管理対象物１Ａ,１Ｂ，１Ｃの識別情報と位置情報からなる管理対象物情報を予め記録したデータベース１０Ｃ−７と、各管理対象物の識別情報を個々に記憶し各管理対象物に貼着されるＩＣタグＩＣＴ−１Ａ，ＩＣＴ−１Ｂ,ＩＴＣ−１Ｃと、測定区分領域Ｘ１の位置情報を記憶させた測定位置ＩＣタグＩＣＴ−Ｘ１と、ＩＣタグ内の識別情報を読取るＩＣタグリーダ１０Ａと、それからの識別情報及び位置情報と予め記録された各管理対象物情報とを比較する比較手段１０Ｃ−５Ａと、この比較手段の結果から少なくとも一致、不明、及び移動とを判別する判別手段１０Ｃ−５Ｂと、判別手段の判別に従った各管理対象物の情報を表示する表示手段１０Ｃ−６と、を有するシステムとする。【選択図】図１
2009251919.tif 000002
【特許請求の範囲】
【請求項１】
少なくとも各管理対象物の識別情報と位置情報からなる管理対象物情報を予め記録したデータベースと、前記各管理対象物の識別情報を個々に記憶し前記各管理対象物に貼着されるＩＣタグと、該ＩＣタグ内の前記識別情報を読取るＩＣタグリーダと、該ＩＣタグリーダからの前記識別情報及び別途取得した測定の位置情報と前記予め記録された各管理対象物情報とを比較する比較手段と、この比較手段の結果から少なくとも一致、不明、及び移動とを判別する判別手段と、該判別手段の判別に従った各管理対象物の情報を表示する表示手段と、を有することを特徴とするＩＣタグによる管理システム。
【請求項２】
前記別途取得した測定の位置情報は、測定の位置情報を記録した測定位置ＩＣタグから、前記ＩＣタグリーダが読取る情報であることを特徴とする請求項１に記載のＩＣタグによる管理システム。
【請求項３】
少なくとも、前記ＩＣタグリーダと、前記比較手段と、前記判別手段と前記表示手段とを含め現況調査装置を形成し、この装置を測定領域へ移動可能としたことを特徴とする請求項１又は２に記載のＩＣタグによる管理システム。
【請求項４】
各管理対象物の識別情報が個々に記憶され該各管理対象物に貼着されたＩＣタグの前記識別情報をＩＣタグリーダで読み取り、該ＩＣタグリーダからの前記識別情報及び別途取得した測定の位置情報とデータベースに予め記録された少なくとも前記各管理対象物の識別情報と位置情報からなる各管理対象物情報とを比較手段で比較し、この比較結果から少なくとも一致、不明、及び移動とを判別手段で判別し、この判別に従って各管理対象物の情報を表示手段へ表示することを特徴とするＩＣタグによる管理方法。
【請求項５】
前記別途取得した測定の位置情報が、測定の位置情報を記録した測定位置ＩＣタグから、前記ＩＣタグリーダが読取ることを特徴とする請求項４に記載のＩＣタグによる管理方法。
【請求項６】
各管理対象物に貼着されたＩＣタグ内の前記各管理対象物の識別情報をＩＣタグリーダで読取るステップと、該ＩＣタグリーダからの前記識別情報及び別途取得した測定の位置情報とデータベースに予め記録された少なくとも前記各管理対象物の識別情報と位置情報からなる各管理対象物情報とを比較するステップと、この比較結果から少なくとも一致、不明、及び移動とを判別するステップと、この判別に従って各管理対象物の情報を表示するステップを、コンピュータに実行させるプログラム。
【請求項７】
前記別途取得した測定の位置情報を、測定の位置情報を記録した測定位置ＩＣタグから、前記ＩＣタグリーダが読取るステップを含むことを特徴とする請求項６に記載のコンピュータに実行させるプログラム。
【発明の詳細な説明】
【技術分野】
【０００１】
本発明は、ＩＣタグの活用による管理システム及びその方法並びにプログラムに関する。特に、ＩＣタグを活用して、各管理対象物の確認を行う管理システム及びその方法並びにプログラムに関する。
【背景技術】
【０００２】
ＩＣタグなどの微小な無線チップにより人やモノを識別・管理する仕組み（ＲＦＩＤ）が社会のＩＴ化・自動化を推進する上での基盤技術として注目を集めている。ＩＣタグの交信周波数などによって通信距離は数ｍｍ程度のものから数ｍ程度のものがあり、これも用途に応じて使い分けられる。
【０００３】
この技術の流れの中でＲＦＩＤタグを導入し、資産にタグを貼付して、備品等、資産の移動に伴う設置場所の管理を行い、資産管理、棚卸精度の向上をはかる資産管理システムの技術が開示されている。これは、任意に区画割りされた施設の区画単位に設置されるタグリーダと、タグ読み取り手段によって資産の移動を検出し、検出したタグ読み取り手段に付された識別情報と移動した資産に貼付されたタグの識別情報とにより移動した資産の設置場所を管理する資産設置場所管理手段を備える資産管理システムである（特許文献１参照）。
【０００４】
また、物品管理における操作者の利便性を向上するために、リーダは、操作者が携帯可能な携帯操作端末として構成して、読み取り可能に情報を保持した無線タグ回路素子からタグＩＤを実質的に非接触で読み取って取得し、無線タグ回路素子と関連付けられる対象物の物識別情報とこれに対応するタグＩＤとの相関情報を格納保持したデータベースにアクセスし、そのうち所定の検索条件を満たす情報を検索する情報読み取り装置の開示もある（特許文献２）。
【特許文献１】特開２００５−２０２５０２号公報（要約、請求項１）
【特許文献２】特開２００７−０８７０３４号公報（要約、請求項１）
【発明の開示】
【発明が解決しようとする課題】
【０００５】
しかし、従来のＩＣリーダは、対象物に貼着された個別のＩＣタグを読取り完璧に確認することを前提とするシステム又は装置として考えられてきた。このため確実な確認を取るための区画割りされた施設の区画単位に設置されるタグリーダが必要となったり、携帯にリーダ機能を持たせ遠隔のデータベースにアクセスできるようにして、確認現場での操作による利便性・確実性、完璧な確認を求めた。
【０００６】
しかしながら、各管理対象物の確認をすべて完璧に行わなくとも、確認リストが、ある程度まで出せたことにより、残りの補充確認作業を軽減して、全リストを確認する手間を大幅に減らせることが考えられる。
【０００７】
そこで、本発明の課題とするところは、各管理対象物の確認をより簡便に行うシステムおよびその方法並びにプログラムを提供することにある。
【課題を解決するための手段】
【０００８】
上記課題を達成するため、本発明では、少なくとも各管理対象物の識別情報と位置情報からなる管理対象物情報を予め記録したデータベースと、前記各管理対象物の識別情報を個々に記憶し前記各管理対象物に貼着されるＩＣタグと、該ＩＣタグ内の前記識別情報を読取るＩＣタグリーダと、該ＩＣタグリーダからの前記識別情報及び別途取得した測定の位置情報と前記予め記録された各管理対象物情報とを比較する比較手段と、この比較手段の結果から少なくとも一致、不明、及び移動とを判別する判別手段と、該判別手段の判別に従った各管理対象物の情報を表示する表示手段と、を有するＩＣタグによる管理システムとする。これによって、少なくとも一致、不明、及び移動とを判別する判別手段と、この判別に従った各管理対象物の情報を表示する表示手段を設けて、各管理対象物の確認をより簡便に行うシステムを提供できる。
【０００９】
また、前記別途取得した測定の位置情報は、測定の位置情報を記録した測定位置ＩＣタグから、前記ＩＣタグリーダが読取る情報であるＩＣタグによる管理システムとすれば、現況調査中の測定区分位置を的確容易に把握できる。
【００１０】
また、少なくとも、前記ＩＣタグリーダと、前記比較手段と、前記判別手段と前記表示手段とを含め現況調査装置を形成し、この装置を測定領域へ移動可能としたＩＣタグによる管理システムとすれば、現況調査装置を測定領域へ移動して、管理対象物の適時適切な管理処理を可能とできる。
【００１１】
また、各管理対象物の識別情報が個々に記憶され該各管理対象物に貼着されたＩＣタグの前記識別情報をＩＣタグリーダで読み取り、該ＩＣタグリーダからの前記識別情報及び別途取得した測定の位置情報とデータベースに予め記録された少なくとも前記各管理対象物の識別情報と位置情報からなる各管理対象物情報とを比較手段で比較し、この比較結果から少なくとも一致、不明、及び移動とを判別手段で判別し、この判別に従って各管理対象物の情報を表示手段に表示するＩＣタグによる管理方法とすれば、一致、不明及び移動との判別に従って区別した各管理対象物の情報を表示することができ、各管理対象物の確認をより簡便に行うＩＣタグによる管理方法を提供できる。
【００１２】
また、前記別途取得した測定の位置情報が、測定の位置情報を記録した測定位置ＩＣタグから、前記ＩＣタグリーダが読取るＩＣタグによる管理方法とすれば、現況調査中の測定区分位置を的確容易に把握できる。
【００１３】
また、各管理対象物に貼着されたＩＣタグ内の前記各管理対象物の識別情報をＩＣタグリーダで読取るステップと、該ＩＣタグリーダからの前記識別情報及び別途取得した測定の位置情報とデータベースに予め記録された少なくとも前記各管理対象物の識別情報と位置情報からなる各管理対象物情報とを比較するステップと、この比較結果から少なくとも一致、不明、及び移動とを判別するステップと、この判別に従って各管理対象物の情報を表示するステップを、コンピュータに実行させるプログラムとすれば、一致、不明、及び移動との判別に従って区別した各管理対象物の情報を表示することができ、各管理対象物の確認をより簡便に行うＩＣタグによる管理プログラムを提供できる。
【００１４】
また、前記別途取得した測定の位置情報を、測定の位置情報を記録した測定位置ＩＣタグから、前記ＩＣタグリーダが読取るステップを含むコンピュータに実行させるプログラムとすれば、現況調査中の測定区分位置を的確容易に把握できる。
【発明の効果】
【００１５】
上記の発明によれば、データベース内の情報とＩＣタグリーダで読取った情報とを比較する比較手段と、この比較に基づき、少なくとも一致、不明、及び移動とを判別する判別手段と、この判別に従った各管理対象物の情報を表示する表示手段を設けて、各管理対象物の確認をより簡便に行うＩＣタグによる管理システム、管理方法、管理プログラムを提供できる。
【発明を実施するための最良の形態】
【００１６】
以下本発明の一実施の形態を、図を参照しつつ説明する。
図１は、本発明の一実施の形態としてのＩＣタグによる管理システムの構成図である。
【００１７】
この例でのＩＣタグによる管理システム１は、資産、機器、備品などの各管理対象物１Ａ，１Ｂ，１Ｃに貼着される各管理対象物１Ａ，１Ｂ，１Ｃの識別コードなどの識別情報を記憶したＩＣタグＩＣＴ−１Ａ，ＩＣＴ−１Ｂ，ＩＣＴ−１Ｃと、各管理対象物１Ａ，１Ｂ，１Ｃの識別情報とそれぞれが配置される位置を示す位置情報からなる管理対象物情報を、予め記録した現況調査用のデータベース１０Ｃ−７を有し、これらの情報を対比し判定して、結果を表示するＰＣ（コンピュータ）１０Ｃと、アンテナ１０Ｂを通してＩＣタグＩＣＴ−１Ａ,ＩＣＴ−１Ｂ,ＩＣＴ−１Ｃなどの情報を読取るＩＣタグリーダ１０Ａとを含む現況調査装置１０と、から、基本的に構成される。
【００１８】
各管理対象物１Ａ，１Ｂ，１Ｃは、複数の測定区分領域Ｘ１，Ｘ２，Ｘ３などに必要に応じ配置されるが、図１では、測定区分領域Ｘ１のみを例示している。
【００１９】
ＰＣ（コンピュータ）１０Ｃは、ＩＣタグリーダ１０Ａと接続される通信手段１０Ｃ−１、この通信手段１０Ｃ−１からの受信データの記憶手段１０Ｃ−３、この記憶手段１０Ｃ−３からのデータと現況調査用データベース１０Ｃ−７内のデータとを比較する比較手段１０Ｃ−５Ａ、この比較結果に基づき一致、不明、移動の判別を行う判別手段１０Ｃ−５Ｂ、判別手段１０Ｃ−５Ｂの判別に従った各管理対象物１Ａ，１Ｂ，１Ｃなどの情況を表示する表示手段１０Ｃ−６を備える。これら比較手段１０Ｃ−５Ａと判別手段１０Ｃ−５Ｂを含むものを含め比較判別手段１０Ｃ−５として図１では示している、さらに、全手段の制御を行う制御手段１０Ｃ−２、データベース１０Ｃ−７へのデータ入力を可能としまたＩＣタグＩＣＴへのデータ書込みを行うＩＣタグ出力プリンタ１０Ｐへのデータ出力を可能とする入出力手段１０Ｃ−４を備える。
【００２０】
図１の例では、各測定区分領域Ｘ１，Ｘ２，Ｘ３・・にそれぞれの測定区分領域の位置情報を記憶させた測定位置ＩＣタグＩＣＴ−Ｘ１，ＩＣＴ−Ｘ２，ＩＣＴ−Ｘ３・・（図１では、ＩＣＴ−Ｘ１のみを例示している。）を設置して、アンテナ１０Ｂを通してＩＣタグリーダ１０Ａが、別途に測定の位置情報を取得する。しかし、この測定の位置情報は、入出力手段１０Ｃ−４を通して入力する様にしてもよい。ＩＣタグリーダ１０Ａからの各管理対象物１Ａ，１Ｂ，１Ｃ・・の識別情報及び測定の位置情報を、データベース１０Ｃ−７に予め記録された各管理対象物情報と、比較手段１０Ｃ−５Ａで比較し、この比較手段の結果から少なくとも一致、不明、及び移動を判別手段１０Ｃ−５Ｂで判別し、この判別に従った各管理対象物１Ａ，１Ｂ，１Ｃ・・の情報を表示手段１０Ｃ−６に表示する。
【００２１】
なお、図１の例では、現況調査用のデータベース１０Ｃ−７をＰＣ１０Ｃ内に設けているが、通信手段によって、その都度必要な範囲のデータを外部に設けたデータベースから取得するようにすることも可能である。
【００２２】
また、少なくとも、ＩＣタグリーダ１０Ａと、比較手段１０Ｃ−５Ａと、判別手段１０Ｃ−５Ｂと表示手段１０Ｃ−６とを含む現況調査装置１０を測定領域へ移動可能なものとすれば、移動によって、管理対象物１Ａ，１Ｂ，１Ｃ・・の適時適切な管理処理を可能とできる。
【００２３】
次に、図１から図７を参照しつつ、上記実施の形態の動作と作用に付き説明する。
図２は、管理対象物１Ａ，１Ｂ，１Ｃ・・の登録フロー図、図３は、現況調査装置１０による調査フロー図、図４は、ＩＣタグＩＣＴ内の記録情報例を示す説明図、図５は、現況調査用データベース１０Ｃ−７内の記録情報例を示す説明図、図６は、表示手段１０Ｃ−６への確認済リストの表示例を示す説明図、図７は、表示手段１０Ｃ−６への移動及び未確認リストの表示例を示す説明図である。
【００２４】
まず、図２において、管理対象物の登録フローＴＦ１を説明する。ステップＳ１で、各管理対象物１Ａ，１Ｂ，１Ｃ・・に対してＩＤ（識別情報）を発番して登録を行う。ステップＳ２では、現況調査用データベース１０Ｃ−７にＩＤとその位置情報、すなわち、識別情報と位置情報からなる管理対象物情報を、望ましくは管理対象物の名称も対応させて、書き込む。さらに、ステップＳ３では、例えば、図１で示したＩＣタグ出力プリンタ１０Ｐにより、ＩＣタグラベルの発行、すなわちＩＣチップ（ＩＣタグＩＣＴ）にＩＤ（識別情報）のデータを書き込む。これによって、管理対象物は登録され、現況調査用データベース１０Ｃ−７に管理対象物のＩＤとその位置情報が書き込まれ、管理対象物のＩＤが、各ＩＣタグ内に記録される。図５には、現況調査用データベース１０Ｃ−７内の記録情報を例示する。ここでは、ＩＤは、機器をＰ、備品をＢとして、連番を付し、位置情報は、Ｒとして連番を付した例を示している。このＩＤ、位置情報のコード例は、図４乃至図７についても同様であるが、これに限定されるものでなく、特に、位置情報は、その領域の規模また数により、大区画、中区画、小区画からなるコードなどを使用することが望ましい。図４には、ＩＣタグ内のＩＤ情報を例示する。
【００２５】
次に、図３において、現況調査装置１０による調査フローＴＦ２を説明する。ステップＳ５で、ＩＣタグリーダ１０Ａにより、測定区分領域Ｘ１内のＩＣタグＩＣＴ−Ｘ１，ＩＣＴ−Ｘ２，ＩＣＴ−Ｘ３・・の識別情報を読み込み、通信手段１０Ｃ−１を通じて、その結果を記憶手段１０Ｃ−３に伝達する。このステップＳ５では、測定位置ＩＣタグＩＣＴ−Ｘ１（図１での例示は、測定区分領域Ｘ１のみであるが、各区分領域には、それぞれ測定位置ＩＣタグが設けられる。）から、ＩＣタグリーダ１０Ａにより、測定区分領域Ｘ１の測定区分の位置情報も加えられて、記憶手段１０Ｃ−３に伝達される。ステップＳ６では、記憶手段１０Ｃ−３内の、ＩＣタグの識別情報及び別途取得した測定区分の位置情報と、現況調査用データベース１０Ｃ−７内の、予め記録された各管理対象物情報（識別情報と位置情報からなる。）を照合し、これらを比較手段１０Ｃ−５Ａにより比較する。この比較手段１０Ｃ−５Ａの比較結果から、判別手段１０Ｃ−５Ｂにより、各管理対象物１Ａ，１Ｂ，１Ｃ・・につき、少なくとも、一致、不明、及び移動を判別する。この判別手段１０Ｃ−５Ｂの判別に従って、図３の例示では、ステップＳ７−１で、移動リスト出力を形成、ステップＳ７−２で、一致リスト出力を形成、ステップＳ７−３で、不明リスト出力を形成する。これらの出力をそのまま、或は、整理して、各管理対象物の状況を表示手段１０Ｃ−６に表示する。
【００２６】
ここで、現況調査装置１０による調査において、上記判別における「移動」とは、その測定区分の位置においての測定で、ＩＣタグリーダ１０Ａで、その管理対象物のＩＣタグからのＩＤが読み出され、その調査時（測定時）の位置情報と現況調査用データベース１０Ｃ−７内の位置情報が異なっている場合である。上記判別における「一致」とは、ＩＣタグリーダ１０Ａで、その管理対象物のＩＣタグからのＩＤが読み出され、その調査時（測定時）の位置情報と現況調査用データベース１０Ｃ−７内の位置情報が同一の場合である。さらに、上記判別における「不明」とは、現況調査用のデータベース１０Ｃ−７内の位置情報からすれば、その測定区分領域にあるはずの、管理対象物のＩＣタグからのＩＤが、ＩＣタグリーダ１０Ａに読み出されない場合である。いずれにしても、この実施の態様では、現況調査用のデータベース１０Ｃ−７内の予め記録された各管理対象物情報（識別情報と位置情報からなる。）の位置情報を基に、その測定区分領域にあるはずの管理対象物のデータが抽出され、現況調査装置１０のＩＣタグリーダ１０Ａによる、それら管理対象物の識別情報の読み込みが行われた（「一致」か「移動」）か、否（「不明」）か、読み込みが行われたとすれば、その位置情報（調査時の測定区分の位置情報とデータベース１０Ｃ−７内のその位置情報）は、一致していた（「一致」）か、否（「移動」）かにより、判別される。
【００２７】
図６には、表示手段１０Ｃ−６へ、一致リストを、確認済リストの表示として示した例を、図７には、表示手段１０Ｃ−６へ、移動リストと不明リストを、移動及び未確認リストとしての表示した例を示す。ここで、図６では、各管理対象物は、名称、ＩＤ（識別情報）、位置情報で示され、位置情報は、別途取得した測定区分の位置情報と、現況調査用データベース１０Ｃ−７内の位置情報が一致していたので、一致が確認されたことを示して、一つの欄に一致した位置情報のみを記載している。図７は、移動リストと未確認リスト（不明リスト）を、一緒に示した例であるが、各管理対象物は、名称、ＩＤ（識別情報）、位置情報で示されるが、位置情報は、別途取得した測定の位置情報の位置情報Ａ（調査時）と、現況調査用データベース１０Ｃ−７内の位置情報の位置情報Ｂ（データベース）とに分けて示している。ＩＣタグリーダ１０Ａで、ＩＣタグからのＩＤが読み出され、その調査時（測定時）の位置情報（位置情報Ａ）とデータベースの位置情報（位置情報Ｂ）が異なっているものが、移動と判定されて、判定欄に「移動」と表示される。また、データベースの位置情報（位置情報Ｂ）でその測定区分領域にあるはずのものが、ＩＣタグリーダ１０ＡでＩＤの検知が出来ない場合には、位置情報Ａをブランクにして、判定欄に「不明」と示している。なお、上記の例とは異なり、移動リストと未確認リストとを、それぞれ別の表示画面に表示しても良いし、確認済みリスト、移動リスト、未確認リストをともに、同画面上に表示しても良い。
【００２８】
さらに、現況調査装置による調査実行手順のうち、各管理対象物１Ａ，１Ｂ，１Ｃ・・に貼着されたＩＣタグＩＣＴ−１Ａ，ＩＣＴ−１Ｂ，ＩＴＣ−１Ｃ・・内の各管理対象物１Ａ，１Ｂ，１Ｃ・・の識別情報をＩＣタグリーダ１０Ａで読取るステップと、ＩＣタグリーダ１０Ａからの識別情報及び別途取得した測定の位置情報とデータベース１０Ｃ−７に予め記録された各管理対象物情報とを比較する比較手段１０Ｃ−５Ａによるステップと、この比較結果から少なくとも一致、不明、及び移動とを判別する判別手段１０Ｃ−５Ｂによるステップと、この判別に従って各管理対象物１Ａ，１Ｂ，１Ｃ・・の情報を表示する表示手段１０Ｃ−６によるステップを、コンピュータ１０Ｃに実行させるプログラムを、コンピュータ１０Ｃ内の制御手段１０Ｃ−２等に記憶させて、図３のステップＳ５乃至Ｓ８を実行することができる。これにより、一致、不明、及び移動との判別に従って区別した各管理対象物の情報を表示することができ（ステップＳ８）、各管理対象物の確認をより簡便に行うＩＣタグによる管理プログラムを提供できる。この結果を基に報告書を作成できる（ステップＳ９）。また、このプログラムに、別途取得した測定の位置情報を、測定区分領域Ｘ１,・・の位置情報を記録した測定位置ＩＣタグＩＣＴ−Ｘ１,・・から、ＩＣタグリーダ１０Ａが読取るステップを含めることとすれば、現況調査中の測定区分位置を的確容易に把握できる。
【産業上の利用可能性】
【００２９】
以上のように、本発明による管理システムおよびその方法並びにプログラムは、各管理対象物の確認をより簡便に行うことを可能とするもので、各企業、教育機関、施設などにおける資産、機器、備品などの管理に有用である。
【図面の簡単な説明】
【００３０】
【図１】図１は、本発明の一実施の形態としてのＩＣタグによる管理システムの構成図である。
【図２】図２は、図１の実施の形態における管理対象物の登録フロー図である。
【図３】図３は、図１の実施の形態における現況調査装置による調査フロー図である。
【図４】図４は、本発明におけるＩＣタグ内の記録情報例を示す説明図である。
【図５】図５は、本発明における現況調査用データベース内の記録情報例を示す説明図である。
【図６】図６は、本発明における表示手段への確認済リストの表示例を示す説明図である。
【図７】図７は、本発明における表示手段への移動及び未確認リストの表示例を示す説明図である。
【符号の説明】
【００３１】
１  管理システム、１Ａ，１Ｂ，１Ｃ  管理対象物、１０  現況調査装置、１０Ａ  ＩＣタグリーダ、１０Ｂ  アンテナ（通信部）、１０Ｃ  ＰＣ（コンピュータ）、１０Ｃ−１  通信手段、１０Ｃ−２  制御手段、１０Ｃ−３  記憶手段、１０Ｃ−４  入出力手段、１０Ｃ−５  比較判別手段、１０Ｃ−５Ａ  比較手段、１０Ｃ−５Ｂ  判別手段、１０Ｃ−６  表示手段、１０Ｃ−７  現況調査用データベース（管理対象物情報すなわち、識別情報、位置情報を含む）、１０Ｐ  ＩＣタグ出力プリンタ、Ｘ１  測定区分領域、ＩＣＴ  ＩＣタグ、ＩＣＴ−１Ａ  管理対象物１Ａ用ＩＣタグ、ＩＣＴ−１Ｂ  管理対象物１Ｂ用ＩＣタグ、ＩＣＴ−１Ｃ  管理対象物１Ｃ用ＩＣタグ、ＩＣＴ−Ｘ１  測定位置ＩＣタグ（別途取得する測定の位置情報を記憶）。
【図１】
2009251919.tif 000003
【図２】
2009251919.tif 000004
【図３】
2009251919.tif 000005
【図４】
2009251919.tif 000006
【図５】
2009251919.tif 000007
【図６】
2009251919.tif 000008
【図７】
2009251919.tif 000009